(57)【要約】  【課題】  テレビと離隔した位置で表示部の角度調整を自在に行うことができ、また、調整した角度を維持することができるようにする。  【解決手段】  支持体２に回動可能に取着された表示部１を支持体２に対して上下及び横方向の夫々へ回動可能とし、該表示部１を上下方向へ回動させる第１の電動モータ３と、表示部１を横方向へ回動させる第２の電動モータ４と、リモートコントローラＡから送信される表示部の角度調整信号を受信して前記電動モータ３，４を駆動／停止制御する制御器５とを備える構成とし、リモートコントローラＡの手動操作で表示部１の回動角度を上下及び横方向の夫々へ調整可能とした。【選択図】        図１
2006005795.tif 000002
【特許請求の範囲】
【請求項１】
表示部が支持体に回動可能に取着されたテレビにおいて、前記表示部は前記支持体に対して上下及び横方向の夫々へ回動可能であり、該表示部を上下及び横方向の夫々へ回動させる電動モータと、外部信号を受信して前記電動モータを駆動／停止制御する制御器とを備えることを特徴とするテレビ。
【請求項２】
表示部が支持体に回動可能に取着されたテレビにおいて、前記表示部は前記支持体に対して上下及び横方向の夫々へ回動可能であり、該表示部を上下及び横方向の夫々へ回動させる電動モータと、前記表示部の上下及び横方向の夫々への回動角度を検出する検出器と、外部信号及び前記検出器が検出した回動角度に基づいて前記電動モータを駆動／停止制御する制御器とを有することを特徴とするテレビ。
【請求項３】
前記制御器は外部信号を受信する受信部、及び該受信部が受信した外部信号を前記表示部に送信する送信部を有しており、前記支持体は、テレビチューナ及び前記制御器を有しており、前記表示部は前記送信部から送信された外部信号を受信する受信部を有し、テレビ画像を前記表示部に表示させるようにしている請求項１又は２記載のテレビ。
【請求項４】
表示部が支持体に回動可能に取着されたテレビにおいて、前記表示部は前記支持体に対して上下及び横方向の夫々へ回動可能であり、該表示部を上下及び横方向の夫々へ回動させる電動モータと、外部信号を受信して前記電動モータを駆動／停止制御する制御器及びテレビチューナを有し、前記表示部及び前記支持体とは別体の中継器と、該中継器を前記表示部と導線又は無線で接続する接続手段とを備えることを特徴とするテレビ。
【請求項５】
表示部が支持体に回動可能に取着されたテレビにおいて、前記表示部は前記支持体に対して上下及び横方向の夫々へ回動可能であり、該表示部を上下及び横方向の夫々へ回動させる電動モータと、前記表示部の上下及び横方向の夫々への回動角度を検出する検出器と、外部信号及び前記検出器が検出した回動角度に基づいて前記電動モータを駆動／停止制御する制御器とテレビチューナとを有し、前記表示部及び前記支持体とは別体の中継器と、該中継器を前記表示部と導線又は無線で接続する接続手段とを備えることを特徴とするテレビ。
【請求項６】
請求項１乃至５のいずれか一つに記載のテレビと、前記表示部の角度調整信号を送信するリモートコントローラとを備えることを特徴とするテレビ装置。
【発明の詳細な説明】
【技術分野】
【０００１】
本発明は液晶テレビ等の表示部の角度を調整可能としたテレビ、及び表示部の角度を調整操作するリモートコントローラを備えたテレビ装置に関する。
【背景技術】
【０００２】
テレビは筺体に保持された表示部と、該表示部を取着して支持したスタンドとを備える。スタンドは表示部に固定され、表示部の角度を調整することができない。
【０００３】
また、表示部とスタンドとの間に、表示部を回動可能に支持するヒンジを設け、表示部を手動操作で上下方向及び横方向へ回動可能とした液晶テレビが知られている（例えば、特許文献１）。
【特許文献１】特開平９−１６８１２７号公報
【発明の開示】
【発明が解決しようとする課題】
【０００４】
ところで、液晶テレビの表示面は全面が扁平であり、表示面が湾曲するブラウン管テレビと比較して表示部の画角が狭いため、液晶テレビの設置場所によっては表示部の角度変更の度合いが増加する。また、液晶テレビはブラウン管テレビと比較して薄型であるため、壁掛用のテレビとして使用されることが考えられる。
【０００５】
ところが、特許文献１のテレビは据置型であり、手動操作で表示部の角度を変更可能に構成されているため、壁掛用のテレビとして使用される場合、手動での角度変更操作が行い難く、しかも、角度変更状態を確実に維持するにはヒンジ部の回動抵抗を比較的大きくする必要があり、この回動抵抗力に打ち勝って角度変更操作を行うことになるため、手動での角度変更操作がより一層行い難いと言う問題がある。
【０００６】
本発明は斯かる事情に鑑みてなされたものであり、主たる目的は表示部を上下及び横方向の夫々へ回動可能とし、該表示部を上下及び横方向の夫々へ回動させる電動モータと、リモートコントローラから送信される表示部の角度調整信号（外部信号）を受信して前記電動モータを駆動／停止制御する制御器とを設けることにより、テレビと離隔した位置で表示部の角度調整を自在に行うことができ、また、調整した角度を維持することができるテレビ及びテレビ装置を提供することにある。
【０００７】
また、他の目的は表示部を上下及び横方向の夫々へ回動可能とし、該表示部を上下及び横方向の夫々へ回動させる電動モータと、前記表示部の上下及び横方向の夫々への回動角度を検出する検出器と、外部信号及び前記検出器が検出した回動角度に基づいて前記電動モータを駆動／停止制御する制御器とを設けることにより、角度調整の過不足を生じさせることなく、一定の回動角度に調整できるテレビ及びテレビ装置を提供することにある。
【０００８】
また、他の目的はテレビチューナ及び制御器を支持体に設けることにより、表示部を軽量、小形にでき、また、支持体の重量を増加できるテレビ及びテレビ装置を提供することにある。
【０００９】
また、他の目的はテレビチューナ及び制御器を有する中継器を表示部及び支持体とは別体に設けることにより、表示部を軽量、小形にでき、また、壁掛部分を軽量、小形にできるテレビ及びテレビ装置を提供することにある。
【００１０】
また、他の目的は表示部を上下及び横方向の夫々へ回動可能とし、該表示部を上下及び横方向の夫々へ回動させる電動モータと、前記表示部の上下及び横方向の夫々への回動角度を検出する検出器と、テレビチューナ及び制御器を有し、表示部及び支持体とは別体の中継器とを設けることにより、角度調整の過不足を生じさせることなく、一定の回動角度に調整でき、しかも、表示部を軽量、小形にでき、また、壁掛部分を軽量、小形にできるテレビ及びテレビ装置を提供することにある。
【課題を解決するための手段】
【００１１】
本発明に係るテレビは、表示部が支持体に回動可能に取着されたテレビにおいて、前記表示部は前記支持体に対して上下及び横方向の夫々へ回動可能であり、該表示部を上下及び横方向の夫々へ回動させる電動モータと、外部信号を受信して前記電動モータを駆動／停止制御する制御器とを備えることを特徴とする。
【００１２】
この発明にあっては、テレビと離隔した位置でリモートコントローラを手動操作することにより、外部信号が制御器で受信され、電動モータを駆動／停止制御することができるため、表示部の角度調整を簡易に、自在に行うことができ、しかも、表示部は電動モータが回動させるため、調整した角度を維持することができる。
【００１３】
また、本発明に係るテレビは、表示部が支持体に回動可能に取着されたテレビにおいて、前記表示部は前記支持体に対して上下及び横方向の夫々へ回動可能であり、該表示部を上下及び横方向の夫々へ回動させる電動モータと、前記表示部の上下及び横方向の夫々への回動角度を検出する検出器と、外部信号及び前記検出器が検出した回動角度に基づいて前記電動モータを駆動／停止制御する制御器とを有することを特徴とする。
【００１４】
この発明にあっては、テレビと離隔した位置でリモートコントローラを手動操作することにより、外部信号が制御器で受信され、電動モータを駆動させることができるため、表示部の角度調整を簡易に行うことができ、しかも、表示部の回動角度を検出器が検出するため、角度調整の過不足を生じさせることなく、一定の回動角度に迅速に調整できる。
【００１５】
また、本発明に係るテレビは、前記制御器は外部信号を受信する受信部、及び該受信部が受信した外部信号を前記表示部に送信する送信部を有しており、前記支持体は、テレビチューナ及び前記制御器を有しており、前記表示部は前記送信部から送信された外部信号を受信する受信部を有し、テレビ画像を前記表示部に表示させるようにしていることを特徴とする。
【００１６】
この発明にあっては、テレビチューナと、制御器とが支持体に設けられているため、表示部を軽量、小形にできる。しかも、据置きで使用する場合、支持体の重量を増加でき、転倒し難くできる。
【００１７】
また、本発明に係るテレビは、表示部が支持体に回動可能に取着されたテレビにおいて、前記表示部は前記支持体に対して上下及び横方向の夫々へ回動可能であり、該表示部を上下及び横方向の夫々へ回動させる電動モータと、外部信号を受信して前記電動モータを駆動／停止制御する制御器及びテレビチューナを有し、前記表示部及び前記支持体とは別体の中継器と、該中継器を前記表示部と導線又は無線で接続する接続手段とを備えることを特徴とする。
【００１８】
この発明にあっては、テレビと離隔した位置でリモートコントローラを手動操作することにより、外部信号が制御器で受信され、電動モータを駆動／停止制御することができるため、表示部の角度調整を簡易に、自在に行うことができ、また、調整した角度を維持することができる。しかも、制御器及びテレビチューナが表示部及び支持体と別個の中継器に設けられているため、表示部を軽量、小形にでき、また、壁掛型とした場合に中継器を据置くことができ、壁掛部分を軽量、小形にできる。
【００１９】
また、本発明に係るテレビは、表示部が支持体に回動可能に取着されたテレビにおいて、前記表示部は前記支持体に対して上下及び横方向の夫々へ回動可能であり、該表示部を上下及び横方向の夫々へ回動させる電動モータと、前記表示部の上下及び横方向の夫々への回動角度を検出する検出器と、外部信号及び前記検出器が検出した回動角度に基づいて前記電動モータを駆動／停止制御する制御器とテレビチューナとを有し、前記表示部及び前記支持体とは別体の中継器と、該中継器を前記表示部と導線又は無線で接続する接続手段とを備えることを特徴とする。
【００２０】
この発明にあっては、テレビと離隔した位置でリモートコントローラを手動操作することにより、外部信号が制御器で受信され、電動モータを駆動させることができるため、表示部の角度調整を簡易に行うことができ、また、表示部の回動角度を検出器が検出するため、角度調整の過不足を生じさせることなく、一定の回動角度に迅速に調整できる。しかも、制御器及びテレビチューナが表示部及び支持体とは別体の中継器に設けられているため、表示部を軽量、小形にでき、また、壁掛型とした場合に中継器を据置くことができ、壁掛部分を軽量、小形にできる。
【００２１】
また、本発明に係るテレビ装置は、上述したテレビと、前記表示部の角度調整信号を送信するリモートコントローラとを備えることを特徴とする。
【００２２】
この発明にあっては、リモートコントローラを別途準備することなく、表示部の角度調整を行うことができる。
【発明の効果】
【００２３】
以上詳述したように本発明によれば、テレビと離隔した位置でリモートコントローラを手動操作することにより、表示部の角度調整を自在に行うことができ、しかも、表示部は電動モータが回動させるため、調整した角度を維持することができる。
【００２４】
また、本発明によれば、表示部の回動角度を検出器が検出するため、角度調整の過不足を生じさせることなく、一定の回動角度に調整できる。
【００２５】
また、本発明によれば、テレビチューナ及び制御器が支持体に設けられているため、表示部を軽量、小形にでき、角度調整用の電動モータの負荷を軽減でき、電動モータを小形化できる。しかも、支持体の重量を増加できるため、据置きで使用する場合、転倒し難くでき、安定性を高めることができる。
【００２６】
また、本発明によれば、制御器及びテレビチューナを有する中継器を表示部及び支持体とは別体に備えるため、表示部を軽量、小形にでき、角度調整用の電動モータの負荷を軽減でき、電動モータを小形化できる。しかも、壁掛けで使用する場合、中継器を据置くことができ、壁掛部分を軽量、小形にできる。
【発明を実施するための最良の形態】
【００２７】
以下本発明をその実施の形態を示す図面に基づいて詳述する。
実施の形態１
図１は本発明に係るテレビの実施の形態１の構成を示す概略側面図、図２はテレビの実施の形態１の構成を示す概略平面図、図３は実施の形態１の構成を示すブロック図である。
【００２８】
液晶テレビは、筺体内に保持され、テレビ画像を表示する表示部１と、該表示部１を上下及び横方向（左右方向）の夫々へ回動可能に支持した支持体２と、表示部１を上下方向へ回動させる第１の電動モータ３と、表示部１を横方向へ回動させる第２の電動モータ４と、リモートコントローラＡから送信される表示部の角度調整信号（外部信号）を受信して第１及び第２の電動モータ３，４を駆動／停止制御する制御器５とを備える。
【００２９】
表示部１はパネル、該パネルの裏側に配置された光学シート、拡散板、バックライト部及び電源基板等のテレビ基板を有する。また、表示部１の裏側で横方向中央部の下側にはブラケット１ａが設けられており、該ブラケット１ａに支持体２が相対回動可能に取着されている。
【００３０】
支持体２は壁掛部２１と、該壁掛部２１に取着され、その上面に嵌合孔を有する筺体２２と、該筺体２２にその軸芯が上下方向となる縦軸２３を中心として横方向への回動を可能に支持され、横方向に貫通する嵌合孔を有する可動台２４とを備える。壁掛部２１はボルト等の固定手段により壁面に固定可能に構成されている。縦軸２３は上部が可動台２４に固定され、下部が筺体２２の前記嵌合孔に回転可能に嵌入されており、またこの縦軸２３の下部に歯が周設されている。
【００３１】
筺体２２内には縦軸２３を中心として表示部１を横方向へ回動させるための第２の電動モータ４が装着されており、第２の電動モータ４の出力軸に設けられたピニオン４ａが縦軸２３の歯と噛合し、第２の電動モータ４の出力軸の回転を、ピニオン４ａを有する歯車伝動機構及び縦軸２３を介して可動台２４に伝動し、該可動台２４を表示部１と一体的に横方向へ回動可能としてある。
【００３２】
可動台２４はブラケット１ａにその軸芯が横方向となる横軸２５を中心として上下方向への相対回動を可能に連結されている。横軸２５の両端部はブラケット１ａに固定されており、途中は可動台２４の前記嵌合孔に回転可能に嵌入されており、またこの横軸２５の途中に歯が周設されている。また、可動台２４には横軸２５を中心として表示部１を上下方向へ回動させるための第１の電動モータ３が装着されており、第１の電動モータ３の出力軸に設けられたピニオン３ａが横軸２５の歯と噛合し、第１の電動モータ３の出力軸の回転を、ピニオン３ａを有する歯車伝動機構、横軸２５及びブラケット１ａを介して表示部１に伝動し、表示部１を上下方向へ回動可能としてある。
【００３３】
また、壁掛部２１及び可動台２４の一方には、制御器５と、テレビチューナ６と、接続用の端子（図示せず）と、電源コード７と、ハードディスク等とが設けられている。
【００３４】
制御器５は、マイクロプロセッサを用いてなり、図３に示すようにリモコン送信機Ａから送信される角度調整信号を受信する受信部５ａと、リモコン送信機Ａから送信されるテレビ放送選択信号を受信する受信部５ｂと、受信したテレビ放送選択信号を表示部１に送信する送信部５ｃとを有する。制御器５の入力部には、テレビチューナ６が接続されており、また、出力部には第１及び第２の電動モータ３，４の駆動回路３０，４０が接続されている。また、送信部５ｃから送信されたテレビ放送選択信号を受信する受信部が表示部１に設けられている。
【００３５】
以上のように構成された液晶テレビは、支持体２の壁掛部２１が壁面に固定され、表示部１が支持体２に上下及び横方向の夫々へ回動可能に支持される。表示部１を上下方向の中立位置に対して上下方向一方へ回動させる場合、リモートコントローラＡから角度調整信号を送信することにより、この角度調整信号が支持体２側の制御器５で受信され、第１の電動モータ３が駆動制御され、第１の電動モータ３の回転がピニオン３ａを有する歯車伝動機構、横軸２５及びブラケット１ａを経て表示部１に伝動され、表示部１を上方又は下方へ回動させることができる。表示部１が適宜角度回動したとき、リモートコントローラＡから送信する角度調整信号により制御器５を経て第１の電動モータ３の駆動が停止し、表示部１の回動状態を維持することができる。
【００３６】
表示部１を横方向の中立位置に対して横方向一方へ回動させる場合、リモートコントローラＡから角度調整信号を送信することにより、この角度調整信号が支持体２側の制御器５で受信され、第２の電動モータ４が駆動制御され、第２の電動モータ４の回転がピニオン４ａを有する歯車伝動機構、縦軸２３、可動台２４及びブラケット１ａを経て表示部１に伝動され、表示部１を横方向一方へ回動させることができる。表示部１が適宜角度回動したとき、リモートコントローラＡから送信する角度調整信号により制御器５を経て第２の電動モータ４の駆動が停止し、表示部１の回動状態を維持することができる。
【００３７】
また、リモートコントローラＡからテレビ放送選択信号を送信することにより、このテレビ放送選択信号が支持体２側の制御器５で受信され、送信部５ｃから送信されるテレビ放送選択信号が表示部１の受信部で受信され、表示部１にテレビ画像が表示される。
【００３８】
また、本来なら表示部１に組み込まれる制御器５、テレビチューナ６、電源コード７、ハードディスク等が支持体２に装着されているため、表示部１を軽量、小形にでき、第１及び第２の電動モータ３，４の負荷を軽減できる。
【００３９】
実施の形態２
図４はテレビの実施の形態２の構成を示すブロック図である。実施の形態２の液晶テレビは、表示部１を上下方向へ回動させる第１の電動モータ３と、表示部１を横方向へ回動させる第２の電動モータ４と、表示部１の上下方向への回動角度を検出する２つの第１の検出器８と、表示部１の横方向への回動角度を検出する２つの第２の検出器９と、リモートコントローラＡから送信される表示部の角度調整信号及び前記検出器８，９が検出した回動角度に基づいて電動モータ３，４を駆動／停止制御する制御器５とを備えており、壁掛部２１及び可動台２４の一方に、制御器５と、テレビチューナ６と、接続用の端子（図示せず）と、電源コード７と、ハードディスク等とが設けられている。
【００４０】
第１及び第２の検出器８，９は、作動釦を有する検出スイッチを用いてなり、第１の検出器８は可動台２４の上下位置に離隔して配設されており、第２の検出器９は筺体２２の横位置に離隔して配設されている。また、表示部１には該表示部１が一定角度上下方向へ回動したとき第１の検出器８の作動釦に当接する２つの当接部が設けられており、可動台２４又は表示部１には表示部１が一定角度横方向へ回動したとき第２の検出器９の作動釦に当接する２つの当接部が設けられている。尚、検出器８，９は作動釦を有する検出スイッチなどの接触形スイッチを用いる他、リードスイッチなどの非接触形スイッチを用いてもよいし、また、表示部１の回動角度を検出する角度検出センサなどのセンサを用いてもよく、その構成は特に制限されない。
【００４１】
制御器５の入力部にはテレビチューナ６と、第１及び第２の検出器８，９とが夫々接続されており、出力部には第１及び第２の電動モータ３，４の駆動回路３０，４０が接続されている。また、送信部５ｃから送信されたテレビ放送選択信号を受信する受信部が表示部１に設けられている。
【００４２】
この実施の形態２にあっては、表示部１を上下方向の中立位置に対して上下方向一方へ回動させる場合、リモートコントローラＡから角度調整信号を送信することにより、この角度調整信号が支持体２側の制御器５で受信され、第１の電動モータ３が駆動制御され、第１の電動モータ３の回転がピニオン３ａを有する歯車伝動機構、横軸２５及びブラケット１ａを経て表示部１に伝動され、表示部１を上方又は下方へ回動させることができる。表示部１の回動により前記当接部が第１の検出器８の作動釦に当接し、表示部１の回動角度が検出され、この検出角度に基づいて第１の電動モータ３の駆動が停止し、表示部１の回動状態を維持することができる。
【００４３】
表示部１を横方向の中立位置に対して横方向一方へ回動させる場合、リモートコントローラＡから角度調整信号を送信することにより、この角度調整信号が支持体２側の制御器５で受信され、第２の電動モータ４が駆動制御され、第２の電動モータ４の回転がピニオン４ａを有する歯車伝動機構、縦軸２３、可動台２４及びブラケット１ａを経て表示部１に伝動され、表示部１を横方向一方へ回動させることができる。表示部１の回動により前記当接部が第２の検出器９の作動釦に当接し、表示部１の回動角度が検出され、この検出角度に基づいて第２の電動モータ４の駆動が停止し、表示部１の回動状態を維持することができる。
その他の構成及び作用は実施の形態１と同様であるため、同様の部品については同じ符号を付し、その詳細な説明及び作用効果の説明を省略する。
【００４４】
以上説明した実施の形態１、２では、壁掛型のテレビとしたが、その他、据置型のテレビとしてもよい。この場合、支持体２を据置くことが可能な据置形に変え、第１及び第２の電動モータ３，４を、支持体２を据置いた状態で表示部１を上下及び横方向の夫々へ回動可能となるように配置する。この据置型では、制御器５及びテレビチューナ６等が支持体２に設けられているため、支持体２の重量を増加でき、転倒し難くできる。
【００４５】
実施の形態３
図５はテレビの実施の形態３の構成を示す模式的斜視図である。実施の形態３のテレビは、制御器５及びテレビチューナ６等を支持体２に装着する代わりに、制御器５及びテレビチューナ６等を内蔵し、電源コード７を有する中継器１０を表示部１及び支持体２とは別個に備え、該中継器１０と表示部１とを、コネクタ１１を有するケーブル１２で接続する構成としたものである。尚、ケーブル１２が中継器１０を表示部１と導線で接続する接続手段を構成している。
【００４６】
この実施の形態３にあっては、表示部１及び支持体２を軽量、小形にでき、中継器１０を据置くことができるため、壁掛部分を軽量、小形にできる。尚、図５のように中継器１０を備える場合、中継器１０と表示部１とをケーブル１２で接続する構成とする代わりに、中継器１０に無線送信部を設け、この無線送信部から送信された無線信号を受信する無線受信部を表示部１に設け、無線で送信する構成としてもよい。この他の実施の形態にあっては、無線送信部及び無線受信部が、中継器１０を表示部１と無線で接続する接続手段を構成する。
その他の構成及び作用は実施の形態１、２と同様であるため、同様の部品については同じ符号を付し、その詳細な説明及び作用効果の説明を省略する。
【００４７】
尚、以上説明した実施の形態では表示部１の回動角度を検出する第１及び第２の検出器８，９を備え、一定の回動角度で第１及び第２の電動モータ３，４の駆動を停止する構成としたが、その他、第１及び第２の検出器８，９をなくし、表示部１の回動角度に応じて表示部１を複数段の回動角度で回動させることができるように予め作成された回動角度マップを制御器５が備える構成とし、リモートコントローラＡの操作部を操作することにより、所定の回動角度に調整することができるようにしてもよい。
【００４８】
また、本発明に係るテレビは、以上説明した構成にリモートコントローラＡが加えられてテレビ装置を構成している。
【図面の簡単な説明】
【００４９】
【図１】本発明に係るテレビの実施の形態１の構成を示す概略側面図である。
【図２】本発明に係るテレビの実施の形態１の構成を示す概略平面図である。
【図３】本発明に係るテレビの実施の形態１の構成を示すブロック図である。
【図４】本発明に係るテレビの実施の形態２の構成を示すブロック図である。
【図５】本発明に係るテレビの実施の形態３の構成を示す模式的斜視図である。
【符号の説明】
【００５０】
１    表示部
２    支持体
３    第１の電動モータ
４    第２の電動モータ
５    制御器
６    テレビチューナ
８    第１の検出器
９    第２の検出器
１０  中継器
Ａ    リモートコントローラ
【図１】
2006005795.tif 000003
【図２】
2006005795.tif 000004
【図３】
2006005795.tif 000005
【図４】
2006005795.tif 000006
【図５】
2006005795.tif 000007